(57)【要約】【課題】本体に近づく操作者を検知し、認証し、当該認証した操作者の印刷ジョブが外部に登録されることを確認することで、各デバイスに対する電力状態をきめ細かく制御できるため、消費電力を抑えつつ、短時間で印刷ジョブの印刷を開始する。【解決手段】画像処理を行う各デバイスを制御し、かつ情報処理装置から受信した印刷ジョブを保存するサーバ装置との通信を制御する画像形成装置において、操作者が検知されることに応じて、電力状態を第３の電力状態から第２の電力状態に遷移させた後、サーバ装置からの応答に基づいて、電力状態を前記第２の電力状態から第１の電力状態に遷移させ、または第２の電力状態を維持させるように電力状態を制御する構成を特徴とする。【選択図】図１０
2019023880.tif 000002
【特許請求の範囲】
【請求項１】
情報処理装置から受信した印刷ジョブを保存するサーバ装置と通信する画像形成装置であって、
画像処理を行う各デバイスを制御する制御手段と、
本体に接近する操作者を検知する検知手段と、
前記検知手段が検知した操作者を認証する認証手段と、
前記認証手段により認証された操作者の印刷ジョブが前記サーバ装置に保存されているかどうかを問い合わせる問合わせ手段と、
画像処理を行う各デバイスに供給する電力状態を画像形成可能な第１の電力状態よりも低い第２の電力状態または当該第２の電力状態よりもさらに低い第３の電力状態に遷移させる電源制御手段と、を備え、
前記電源制御手段は、前記検知手段により前記操作者が検知されることに応じて、前記電力状態を前記第３の電力状態から第２の電力状態に遷移させた後、前記問合わせ手段による前記サーバ装置からの応答に基づいて、前記電力状態を前記第２の電力状態から第１の電力状態に遷移させ、または前記第２の電力状態を維持させるように電力状態を制御することを特徴とする画像形成装置。
【請求項２】
前記電源制御手段は、前記検知手段により前記操作者が検知されることに応じて、前記電力状態を前記第３の電力状態から第２の電力状態に遷移させた後、前記問合わせ手段による前記サーバ装置からジョブ保存の応答がある場合、前記電力状態を前記第２の電力状態から第１の電力状態に遷移させることを特徴とする請求項１記載の画像形成装置。
【請求項３】
前記電源制御手段は、前記検知手段により前記操作者が検知されることに応じて、前記電力状態を前記第３の電力状態から第２の電力状態に遷移させた後、前記問合わせ手段による前記サーバ装置からジョブ保存の応答がない場合、前記電力状態を前記第２の電力状態を維持させることを特徴とする請求項１記載の画像形成装置。
【請求項４】
情報処理装置から受信する印刷ジョブを保存する他の画像形成装置と通信する画像形成装置であって、
画像処理を行う各デバイスを制御する制御手段と、
画像処理を行う各デバイスに供給する電力状態を画像形成可能な第１の電力状態よりも低い第２の電力状態または当該第２の電力状態よりもさらに低い第３の電力状態に遷移させる電源制御手段と、
本体に接近する操作者を検知する検知手段と、
前記検知手段が検知した操作者を認証する認証手段と、
前記認証手段により認証された操作者の印刷ジョブが前記他の画像形成装置に保存されているかどうかを問い合わせる問合わせ手段と、を備え、
前記電源制御手段は、前記検知手段により前記操作者が検知されることに応じて、前記電力状態を前記第３の電力状態から第２の電力状態に遷移させた後、前記問合わせ手段による前記他の画像形成装置からの応答に基づいて、前記電力状態を前記第２の電力状態から第１の電力状態に遷移させ、または前記第２の電力状態を維持させるように電力状態を制御することを特徴とする画像形成装置。
【請求項５】
前記電源制御手段は、前記検知手段により前記操作者が検知されることに応じて、前記電力状態を前記第３の電力状態から第２の電力状態に遷移させた後、前記問合わせ手段による前記他の画像形成装置からジョブ保存の応答がある場合、前記電力状態を前記第２の電力状態から第１の電力状態に遷移させることを特徴とする請求項４記載の画像形成装置。
【請求項６】
前記電源制御手段は、前記検知手段により前記操作者が検知されることに応じて、前記電力状態を前記第３の電力状態から第２の電力状態に遷移させた後、前記問合わせ手段による前記他の画像形成装置からジョブ保存の応答がある場合、前記電力状態を前記第２の電力状態を維持させることを特徴とする請求項４記載の画像形成装置。
【請求項７】
前記デバイスは、プリンタと、スキャナと、操作ユニット、前記プリンタを制御するプリンタ制御手段と、前記スキャナを制御するスキャナ制御手段と、通信インタフェースを含むことを特徴とする請求項１乃至６のいずれか１項に記載の画像形成装置。
【請求項８】
前記電源制御手段は、第１の電力状態において、すべてのデバイスおよび前記制御手段に電力を供給することを特徴とする請求項１乃至６のいずれか１項に記載の画像形成装置。
【請求項９】
前記電源制御手段は、第２の電力状態において、前記制御手段と、前記操作ユニットと、前記スキャナ制御手段と、前記プリンタ制御手段と、通信ユニットに対して電力を供給することを特徴とする請求項７に記載の画像形成装置。
【請求項１０】
前記電源制御手段は、第３の電力状態において、前記制御手段と、前記操作ユニットと、前記通信ユニットに対して電力を供給することを特徴とする請求項７に記載の画像形成装置。
【請求項１１】
画像処理を行う各デバイスを制御し、かつ情報処理装置から受信した印刷ジョブを保存するサーバ装置との通信を制御する画像形成装置の制御方法であって、
本体に接近する操作者を検知する検知工程と、
前記検知工程で検知した操作者を認証する認証工程と、
前記認証工程で認証された操作者の印刷ジョブが前記サーバ装置に保存されているかどうかを問い合わせる問合わせ工程と、
画像処理を行う各デバイスに供給する電力状態を画像形成可能な第１の電力状態よりも低い第２の電力状態または当該第２の電力状態よりもさらに低い第３の電力状態に遷移させる電源制御工程と、を備え、
前記電源制御工程で、前記検知工程で前記操作者が検知されることに応じて、前記電力状態を前記第３の電力状態から第２の電力状態に遷移させた後、前記問合わせ手段による前記サーバ装置からの応答に基づいて、前記電力状態を前記第２の電力状態から第１の電力状態に遷移させ、または前記第２の電力状態を維持させるように電力状態を制御することを特徴とする画像形成装置の制御方法。
【請求項１２】
画像処理を行う各デバイスを制御し、かつ情報処理装置から受信する印刷ジョブを保存する他の画像形成装置との通信を制御する画像形成装置の制御方法であって、
画像処理を行う各デバイスに供給する電力状態を画像形成可能な第１の電力状態よりも低い第２の電力状態または当該第２の電力状態よりもさらに低い第３の電力状態に遷移させる電源制御工程と、
本体に接近する操作者を検知する検知工程と、
前記検知工程で検知した操作者を認証する認証工程と、
前記認証工程により認証された操作者の印刷ジョブが前記他の画像形成装置に保存されているかどうかを問い合わせる問合わせ工程と、を備え、
前記電源制御工程は、前記検知工程で前記操作者が検知されることに応じて、前記電力状態を前記第３の電力状態から第２の電力状態に遷移させた後、前記問合わせ手段による前記他の画像形成装置からの応答に基づいて、前記電力状態を前記第２の電力状態から第１の電力状態に遷移させ、または前記第２の電力状態を維持させるように電力状態を制御することを特徴とする画像形成装置の制御方法。
【請求項１３】
請求項１１または１２に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
従来の画像形成装置には、消費電力を低く抑えた省エネモードにおかれている時、ユーザにより操作パネルのＵＩ（Ｕｓｅｒ  Ｉｎｔｅｒｆａｃｅ）で選択されたアイコンに該当する機能部分のみが起動するものがある（例えば、特許文献１参照）。選択した機能部分以外には通電しないので不必要な電力消費を抑えることができる。
【先行技術文献】
【特許文献】
【０００３】
【特許文献１】特開平２０１１−１８０２６１号公報
【発明の概要】
【発明が解決しようとする課題】
【０００４】
しかしながら従来技術では、ユーザによる機能選択が行われてから該当機能部分の起動を開始するため、該当機能部分の初期化が完了してユーザが利用できる状態になるまでに時間を要する。結果的にユーザは必要な処理を終えるまで待たされると言った課題があった。
【０００５】
本発明は、上記の課題を解決するためになされたもので、本発明の目的は、本体に近づく操作者を検知し、認証し、当該認証した操作者の印刷ジョブが外部に登録されることを確認することで、各デバイスに対する電力状態をきめ細かく制御できるため、消費電力を抑えつつ、短時間で印刷ジョブの印刷を開始できる仕組みを提供することである。
【課題を解決するための手段】
【０００６】
上記目的を達成する本発明の画像形成装置は以下に示す構成を備える。
情報処理装置から受信した印刷ジョブを保存するサーバ装置と通信する画像形成装置であって、画像処理を行う各デバイスを制御する制御手段と、本体に接近する操作者を検知する検知手段と、前記検知手段が検知した操作者を認証する認証手段と、前記認証手段により認証された操作者の印刷ジョブが前記サーバ装置に保存されているかどうかを問い合わせる問合わせ手段と、画像処理を行う各デバイスに供給する電力状態を画像形成可能な第１の電力状態よりも低い第２の電力状態または当該第２の電力状態よりもさらに低い第３の電力状態に遷移させる電源制御手段と、を備え、前記電源制御手段は、前記検知手段により前記操作者が検知されることに応じて、前記電力状態を前記第３の電力状態から第２の電力状態に遷移させた後、前記問合わせ手段による前記サーバ装置からの応答に基づいて、前記電力状態を前記第２の電力状態から第１の電力状態に遷移させ、または前記第２の電力状態を維持させるように電力状態を制御することを特徴とする。
【発明の効果】
【０００７】
本発明によれば、本体に近づく操作者を検知し、認証し、当該認証した操作者の印刷ジョブが外部に登録されることを確認することで、各デバイスに対する電力状態をきめ細かく制御できるため、消費電力を抑えつつ、短時間で印刷ジョブの印刷を開始できる。
【図面の簡単な説明】
【０００８】
【図１】画像形成装置を含むシステムの構成を示すブロック図である。
【図２】図１に示した複合機の構成の一例を示すブロック図である。
【図３】図２に示した制御部の構成の一例を示すブロック図である。
【図４】図２に示した操作部の構成の一例を示すブロック図である。
【図５】複合機の電力状態の推移を示したタイミングチャートである。
【図６】図２に示した操作部の外観の一例を示す図である。
【図７】図４に示した表示部に表示するジョブ情報を示す図である。
【図８】情報処理装置のデータ処理方法を説明するフローチャートである。
【図９】サーバ装置におけるデータ処理方法を説明するフローチャートである。
【図１０】画像形成装置の制御方法を説明するフローチャートである。
【図１１】サーバ装置のデータ処理方法を説明するフローチャートである。
【図１２】画像形成装置を含むシステムの構成を説明するブロック図である。
【図１３】画像形成装置の制御方法を説明するフローチャートである。
【図１４】画像形成装置の制御方法を説明するフローチャートである。
【図１５】画像形成装置の制御方法を説明するフローチャートである。
【発明を実施するための形態】
【０００９】
次に本発明を実施するための形態について図面を参照して説明する。以下、本実施形態では、画像形成装置の一実施形態としての複合機について説明する。
＜システム構成の説明＞
〔第１実施形態〕
【００１０】
図１は、本実施形態を示す画像形成装置を含むシステムの構成を示すブロック図である。なお、特に断らない限り、本発明の機能が実行されるのであれば、単体の機器であっても、複数の機器からなるシステムであっても、本発明を適用できることは言うまでもない。また、特に断らない限り、本発明の機能が実行されるのであれば、ＷＡＮ、無線ＬＡＮ等のネットワークを介して接続が為され処理が行われるシステムであっても本発明を適用できることは言うまでもない。
【００１１】
図１において、１０１はホストＰＣ（Ｐｅｒｓｏｎａｌ  Ｃｏｍｐｕｔｅｒ）で、ＣＰＵ１０１Ａを含むコントローラを備え、ユーザからの指示に基づき画像、文字を含む文書より複合機１０３に印刷物を出力させるための印刷ジョブを生成し、サーバ１０２に送信する。１０２はサーバで、ＣＰＵ１０２Ａを含むコントローラを備え、ホストＰＣ１０１から受信した印刷ジョブと共に前記印刷ジョブを受信した日付、時刻、名称、印刷ジョブのデータ・サイズ等を内部の記憶領域（不図示）に前記ユーザに関連付けたユーザ情報として保存する。複合機１０３から任意のユーザに対するユーザ情報の照会要求を受信した場合には、記憶領域（不図示）内を検索してその結果及びユーザ情報を複合機１０３へ送信する。また、詳細は後述するＣＰＵ３０１を含む制御部を備える複合機１０３から印刷ジョブの送信要求を受信した場合には、該当印刷ジョブを複合機１０３へ送信する。なお、複合機１０３は、プリンタ、スキャナ、操作ユニット、通信インタフェース（ネットワークＩ／Ｆ）を備える通信ユニットを備える。
【００１２】
１０３は複合機で、コピー、スキャナ、ＦＡＸ（Ｆａｃｓｉｍｉｌｅ）、プリンタ、ユーザ認証等の機能を実行するための各デバイスを備えている。サーバ１０２にユーザ情報を照会し、該当ユーザのユーザ情報が有れば受信して印刷を行う。１０４はＬＡＮ（Ｌｏｃａｌ  Ａｒｅａ  Ｎｅｔｗｏｒｋ）で、ホストＰＣ１０１、サーバ１０２、複合機１０３等を接続して各機器間の通信を可能にする。
【００１３】
図２は、図１に示した複合機１０３の構成の一例を示すブロック図である。
図２において、２０１は商用電源で、複合機１０３に電力を供給する。２０２は電源供給部で、交流電圧２０７を整流及び変圧して直流電圧として各部へ供給する。２０３は操作部で、ユーザからの操作を受け付けると共に複合機１０３等の情報を表示する。２０４は制御部で、複合機１０３全体の制御を行うと共にＬＡＮ１０４及び公衆回線２０８を介して外部機器との通信を行う。また、スキャナ制御部２０９、プリンタ制御部２１０で取り扱う画像データの処理を行う。２０５はスキャナ部で、紙原稿から読み取った画像データをスキャナ制御部２０９へ送信する。
【００１４】
２０６はプリンタ部で、プリンタ制御部２１０から受信した画像データを紙面に画像として形成する。２０７は交流電圧で、商用電源２０１から電源供給部２０２へ供給する。２０９はスキャナ制御部で、スキャナを制御する。２１０はプリンタ制御部で、プリンタ部を制御する。
【００１５】
図３は、図２に示した制御部２０４の構成の一例を示すブロック図である。
図３において、３０１はＣＰＵ（Ｃｅｎｔｒａｌ  Ｐｒｏｃｅｓｓｉｎｇ  Ｕｎｉｔ）で、複合機１０３全体のコントローラとして機能する。３０２はメモリで、ＣＰＵ３０１で実行するプログラム、設定情報及び画像データの一時記憶を行う。
３０３は操作部Ｉ／Ｆで、操作部２０３と通信を行う。３０４はネットワークＩ／Ｆで、ＬＡＮ１０４を介して外部機器と通信を行う。３０５はプリンタ部Ｉ／Ｆで、プリンタ制御部２１０と通信を行う。３０６はスキャナ部Ｉ／Ｆでスキャナ制御部２０９と通信を行う。３０７はＦＡＸ  Ｉ／Ｆで、公衆回線２０８を介して外部装置とＦＡＸデータの送受信を行う。
３０８はＨＤＤ（Ｈａｒｄ  Ｄｉｓｋ  Ｄｒｉｖｅ）で、画像データ、印刷ジョブを保存する。複合機１０３をブートするためのブートプログラムを保存しても良い。また、装置のログ情報を保存しても良い。３０９は内部信号バスで、各部を接続して相互通信を可能にする。
３１０は電源供給部Ｉ／Ｆで、電源供給部２０２と通信を行い各部へ供給する電源のＯＮ／ＯＦＦを指示すると共に、各部への電源の供給状態を受け取る。３１１は内部電源供給部で、電源供給部２０２より供給された電源を制御部２０４内の各部へ供給する。ＣＰＵ３０１の指示により各部へ供給する電源をＯＮ／ＯＦＦする。
【００１６】
図４は、図１に示した複合機が備える操作ユニットの構成の一例を示すブロック図である。
図４において、４０１はＣＰＵ（Ｃｅｎｔｒａｌ  Ｐｒｏｃｅｓｓｉｎｇ  Ｕｎｉｔ）で、操作部全体の制御を行う。４０２はメモリで、ＣＰＵ４０１が実行するプログラム、設定情報、表示部４０５に表示する画像情報を記憶する。４０３は制御部Ｉ／Ｆで、制御部２０４と接続し通信を行う。４０４は人感センサで、複合機１０３の周囲の人物（操作者）を検知する。複合機１０３の本体に接近する人物を検知するとＣＰＵ４０１に信号を送信して通知する。
【００１７】
人感センサ４０４の構成および検知方式は、赤外線反射型、焦電型、ドップラー型、あるいはカメラと画像処理手段を組み合わせて人物を検知するものであっても良い。
４０５は表示部で、複合機１０３の情報を表示する。４０６はボタン部で、ユーザからの操作を受け付ける。４０７はカードリーダ部で、カードに記録された情報を読み取りＣＰＵ４０１によって、または直接メモリ４０２に記憶する。カードリーダは接触式、非接触式等何れの方式でも構わない。４０８は内部信号バスで、各部を接続して相互通信を可能にする。４０９は内部電源供給部で、電源供給部２０２より供給された電源を操作部２０３内の各部へ供給する。ＣＰＵ４０１の指示により各部へ供給する電源をＯＮ／ＯＦＦする。
【００１８】
図５は、図１に示した複合機１０３の電力状態の遷移の一例を示したタイミングチャートである。
図５において、Ｐ０は消費電力が「０」の電力状態で、電源が「ＯＦＦ」の状態を示す。Ｐ１は画像形成可能な第１の電力状態で、電源供給部２０２から複合機１０３の制御部２０４と、スキャナ部２０５と、プリンタ部２０６と、操作部２０３と、スキャナ制御部２０９と、プリンタ制御部２１０に電力を供給している状態を示す。この第１の電力状態Ｐ１では、複合機１０３のプリント、スキャナ、コピー、ＦＡＸ、ユーザ認証、ネットワーク通信の機能が利用できる。しかし、第１の電力状態Ｐ１は、複合機１０３における電力消費も大きい。
【００１９】
Ｐ２は第２の電力状態で、制御部２０４と、操作部２０３と、スキャナ制御部２０９と、プリンタ制御部２１０に電力を供給している状態を示す。この状態では操作部２０３によりユーザからの認証を受け付けることができる。また、ネットワークＩ／Ｆ３０４を介してサーバ１０２と通信を行うこともできる。更に、操作部２０３の表示部４０５に機能アイコンを表示し、ユーザの操作によって機能を選択することができる。
【００２０】
第２の電力状態Ｐ２では、給紙機構のモータ駆動に比較的大きな電力を消費するスキャナ部２０５と、給紙機構のモータ駆動及び画像形成に比較的大きな電力を消費するプリンタ部２０６の電力供給を止めることで消費電力を抑えることができる。スキャナ制御部２０９と、プリンタ制御部２１０には電力を供給しているので、Ｐ０及びＰ３よりもＰ１への移行時間が短いと言った利点がある。
【００２１】
Ｐ３は第３の電力状態で、制御部２０４のメモリ３０２と、ネットワークＩ／Ｆ３０４と、操作部２０３のＣＰＵ４０１と、メモリ４０２と、人感センサ４０４と、ボタン部４０６に電力を供給している状態を示す。この状態では人感センサ４０４による人物の検知、ユーザによるボタン部４０６の押下の検知、ＬＡＮ１０４からのパケットの検知ができる。必要最小限の電力しか消費しないので消費電力を大幅に抑えることができる。以下、タイミングについて説明する。
Ｔ８０１は電源がＯＮされ、電力状態Ｐ０から第１の電力状態Ｐ１へ移行したタイミングを示す。Ｔ８０２は第１の電力状態Ｐ１から第３の電力状態Ｐ３へ移行したタイミングを示す。
【００２２】
Ｔ８０３は第３の電力状態Ｐ３から第２の電力状態Ｐ２へ移行したタイミングを示す。Ｔ８０４は第２の電力状態Ｐ２から第１の電力状態Ｐ１へ移行したタイミングを示す。Ｔ８０５は第１の電力状態Ｐ１から第３の電力状態Ｐ３へ再び移行したタイミングを示す。Ｔ８０６は第３の電力状態Ｐ３から第２の電力状態Ｐ２へ再び移行したタイミングを示す。Ｔ８０７は第２の電力状態Ｐ２から第３の電力状態Ｐ３へ移行したタイミングを示す。
【００２３】
図６は、図２に示した操作部２０３の外観の一例を示す図である。
図６において、９０１はコピー・アイコンで、ユーザの操作によってコピー機能を選択する。９０２はスキャン・アイコンで、ユーザの操作によってスキャン機能を選択する。９０３はプリント・アイコンで、ユーザの操作によってプリント機能を選択する。９０４はファックス・アイコンで、ユーザの操作によってファックス機能を選択する。
【００２４】
図７は、図４に示した表示部４０５に表示するジョブ情報の一例を示す図である。
図７において、１００１はログインユーザで、認証を受けてログインしているユーザのユーザ名である。１００２はジョブリストで、サーバ１０２に保存されているログインユーザの印刷ジョブリストである。各印刷ジョブにはジョブ名称及び印刷ジョブがサーバ１０２に送信された日付、時刻も付随している。ユーザの操作によって印刷ジョブが選択される。以下で、本実施形態におけるホストＰＣ１０１の印刷ジョブ送信処理を図８のフローチャートを用いて説明する。
【００２５】
図８は、本実施形態を示す情報処理装置のデータ処理方法を説明するフローチャートである。本例は、ホストＰＣ１０１の印刷ジョブ送信処理例である。なお、各ステップは、ホストＰＣ１０１のＣＰＵが記憶されたドライバ（プリンタドライバ）を起動して実行されることで実現される。
まず、ホストＰＣ１０１は、ユーザからの操作によって文書の印刷を受け付ける（Ｓ５０１）と、予め記憶領域（不図示）に記憶されているプリンタ・ドライバによって画像データに変換し、ユーザ情報及び設定情報等を加えた印刷ジョブを生成する（Ｓ５０２）。次に、プリンタ・ドライバがＬＡＮ１０４を介して印刷ジョブをサーバ１０２に送信する（Ｓ５０３）。ＬＡＮ１０４上にサーバ１０２が複数接続されている場合のサーバの選択は、予めプリンタ・ドライバに所定のサーバを設定しておいても良いし、印刷ジョブを送信する都度ユーザによって選択させても良い。
【００２６】
図９は、本実施形態を示すサーバ装置におけるデータ処理方法を説明するフローチャートである。本例は、図１に示したサーバ１０２の印刷ジョブの受信処理例である。なお、各ステップは、サーバ１０２のＣＰＵが記憶された制御プログラムを実行することで実現される。
まず、サーバ１０２のＣＰＵは、ホストＰＣ１０１から印刷ジョブの受信要求を待つ（Ｓ６０１）。サーバ１０２のＣＰＵがＬＡＮ１０４を介してホストＰＣ１０１から印刷ジョブを受信すると（Ｓ６０２）、サーバ１０２のＣＰＵが印刷ジョブに含まれるユーザ情報を参照してユーザ情報と関連付けて記憶領域（不図示）に保存する（Ｓ６０３）。他のユーザから印刷ジョブを受信した場合も同様にユーザ情報に関連付けて記憶領域（不図示）に保存する。
【００２７】
図１０は、本実施形態を示す画像形成装置の制御方法を説明するフローチャートである。本例は、図１に示した複合機１０３によるジョブ処理例である。なお、各ステップは、ＣＰＵ３０１が記憶された制御プログラムを実行することで実現される。
複合機１０３の電源がＯＮされ、図５に示したタイミングＴ８０１とタイミングＴ８０２の間の第１の電力状態Ｐ１にある時、制御部２０４のＣＰＵ３０１は所定の時間ユーザによる操作または、印刷ジョブを受信しなかったかを判定する（Ｓ７０１）。ここで、印刷ジョブを受信していないとＣＰＵ３０１が判断した場合は、ＣＰＵ３０１は電源供給部Ｉ／Ｆ３１０を介して電源供給部２０２に指示を出して図５に示した第３の電力状態Ｐ３へ移行させる（Ｓ７０２、Ｔ８０２）。
【００２８】
また、予め設定された時刻に達した場合や、ユーザからの操作部２０３の操作により第３の電力状態Ｐ３へ移行しても良い。
その後、ＣＰＵ３０１は、操作部２０３の近傍に設けられる人感センサ４０４により、複合機１０３に接近する人物を検知していかを監視し続ける（Ｓ７０３）。
ここで、人物を検知しているとＣＰＵ３０１が判断した場合は、ＣＰＵ３０１は電源供給部２０２に指示を出して、電力状態を第２の電力状態Ｐへ移行させる（Ｓ７０４、Ｔ８０３）。
なお、ユーザからの操作部２０３のボタン部４０６の押下により第２の電力状態Ｐへ移行させても良い。
続いて、ユーザの操作によりユーザ情報の記録されたカードがかざされたことをカードリーダ部４０７が検知すると、ＣＰＵ４０１はユーザ情報を読み取り認証（ログイン処理）を行う（Ｓ７０５）。
次に、ＣＰＵ３０１はネットワークＩ／Ｆ３０４を制御してＬＡＮ１０４を介してサーバ１０２と通信を行い、認証によってログインしたユーザの印刷ジョブがサーバ１０２上に有るかの照会するため問合わせの要求を送信する（Ｓ７０７）。
【００２９】
ＣＰＵ３０１は、サーバ１０２から応答されるジョブ保存の状態からサーバ１０２にジョブがあるかどうかを判定し（Ｓ７０８）、印刷ジョブ情報が有るとＣＰＵ３０１が判断した場合、ＣＰＵ３０１は電源供給部２０２に指示を出して電力状態を第１の電力状態Ｐ１へ移行させる（Ｓ７０９、Ｔ８０４）。と同時に、ＣＰＵ３０１は、表示部４０５に図７に示した印刷ジョブリストを表示させる。この電力状態Ｐ１の状態では、選択されるジョブを直ちに印刷できる状態である。ここでは一例として印刷ジョブ情報の有無を第１の電力状態Ｐ１への移行の条件としたが、必ずしも印刷ジョブ情報に限ったものではない。
印刷ジョブ情報以外のとしては例えば、ユーザが所定の時間内にサーバ１０２へ送信した印刷ジョブの有無やユーザがこれまでサーバ１０２に印刷ジョブを送信した履歴から統計的に処理した情報でも構わない。
【００３０】
次に、ＣＰＵ３０１はユーザからの印刷ジョブの印刷要求の受け付けを監視し（Ｓ７１０）、ユーザによって選択された印刷ジョブの印刷要求を受け付けると、ＣＰＵ３０１は、サーバ１０２に印刷ジョブの送信要求を送信して印刷ジョブをサーバ１０２から受信する（Ｓ７１２）。続いて、ＣＰＵ３０１は、サーバ１０２から受信した印刷ジョブに含まれる画像データをプリンタ部Ｉ／Ｆ３０５を介してプリンタ部２０６に送信し、プリンタ部２０６は印刷を実行する（Ｓ７１３）。
【００３１】
一方、Ｓ７０８で、印刷ジョブがサーバ１０２に無いとＣＰＵ３０１が判断した場合、ＣＰＵ３０１は操作部Ｉ／Ｆ３０３、操作部２０３の制御部Ｉ／Ｆ４０３を介して図６に示した機能選択画面を表示し（Ｓ７１４）、ユーザによる操作及び印刷ジョブの受信を待つ（Ｓ７０１）。なお、この際の電力状態は、第２の電力状態Ｐ２が維持されている。
【００３２】
また、Ｓ７０６で、ＣＰＵ３０１が所定の時間ユーザによる認証がなされていないと判定した場合は、ＣＰＵ３０１は電源供給部２０２に指示を出して電力状態を第３の電力状態Ｐ３へ移行させる（Ｓ７０２、Ｔ８０７）。また、ＣＰＵ３０１が所定の時間ユーザからの印刷ジョブの印刷要求の受け付けがなされていないと判定した場合は（Ｓ７１１）、ＣＰＵ３０１は電源供給部２０２に指示を出して電力状態を第３の電力状態Ｐ３へ移行させる（Ｓ７０２、Ｔ８０５）。
【００３３】
図１１は、本実施形態を示すサーバ装置のデータ処理方法を説明するフローチャートである。本例は、図１に示したサーバ１０２の印刷ジョブの送信処理例である。なお、各ステップは、サーバ１０２のＣＰＵ１０２Ａが記憶された制御プログラムを実行することで実現される。
サーバ１０２のＣＰＵ１０２Ａは複合機１０３からＬＡＮ１０４を介して印刷ジョブの照会要求を監視している（Ｓ１１０４）。照会要求が有るとＣＰＵ１０２Ａが判断した場合、ＣＰＵ１０２Ａは、複合機１０３からログインユーザのユーザ情報を受信する（Ｓ１１０５）。ＣＰＵ１０２Ａはログインユーザの印刷ジョブの有無を判定する（Ｓ１１０６）。
ここで、ログインユーザの印刷ジョブが有るとＣＰＵ１０２Ａが判断した場合、ＣＰＵ１０２Ａは印刷ジョブの情報を複合機１０３へ送信し（Ｓ１１０８）、ＣＰＵ１０２Ａは、印刷ジョブの送信要求を監視する（Ｓ１１０９）。そして、印刷ジョブの送信要求を受け取ったら、印刷ジョブを複合機１０３に送信して（Ｓ１１１０）、Ｓ１１０１へ戻る。
一方、ログインユーザの印刷ジョブが無いとＣＰＵ１０２Ａが判断した場合（Ｓ１１０６）、サーバ１０２のＣＰＵ１０２Ａは印刷ジョブが無いことを複合機１０３へ送信し（Ｓ１１０７）、ＣＰＵ１０２Ａは、再び印刷ジョブの照会要求を監視する（Ｓ１１０４）。
【００３４】
以上説明したように、サーバ１０２に印刷ジョブが有ればユーザによる操作を待たずに起動に時間を要するプリンタ部２０６へ電力を供給するので、ユーザは直ちに印刷ジョブの印刷を実行することができる。
〔第２実施形態〕
【００３５】
上記実施形態では、複合機とサーバ装置と、情報処理装置とが接続されるシステムを例として説明した。
図１２は、本実施形態を示す画像形成装置を含むシステムの構成を説明するブロック図である。本実施形態では、複合機がネットワークを介して図１に示したホストＰＣ１０１及びサーバ１０２に代えて、リモート複合機１０１１と接続されるシステム例である。リモート複合機１０１１の構成は複合機１０３と同じであり、制御方法が一部異なる。なお、１０１１ＡはＣＰＵで、図示しないコントローラに設けられ、複合機の通信処理、画像処理等を記憶された制御プログラムを実行することで制御する。以下、本実施形態におけるリモート複合機１０１１のコピージョブ生成処理を説明する。
【００３６】
図１３は、本実施形態を示す画像形成装置の制御方法を説明するフローチャートである。本例は、リモート複合機１０１１のコピージョブ生成処理例である。なお、各ステップは、ＣＰＵ１０１１Ａが記憶された制御プログラムを実行することで実現される。
リモート複合機１０１１は、ユーザからの操作によって文書のコピーを受け付ける（Ｓ１０２１）と、スキャナ部２０５が文書をスキャンし画像データに変換する。ＣＰＵ３０１は、直ちに画像データをユーザの設定に従いプリンタ部２０６によって印刷し、コピーを完了する（Ｓ１０２２）。同時にＣＰＵ３０１は、画像データにユーザ情報及び設定情報等を加えたコピージョブを生成する（Ｓ１０２３）。設定情報の一例としては、画像の拡大縮小、画像の濃度、解像度、用紙サイズ、仕上げ方法、部数等がある。次に、ＣＰＵ３０１はコピージョブをリモート複合機１０１１のＨＤＤ３０８に、ユーザに関連付けて保存して（Ｓ１０２４）、本処理を終了する。
【００３７】
図１４は、本実施形態を示す画像形成装置の制御方法を説明するフローチャートである。本例は、リモート複合機１０１１のコピージョブ送信例である。なお、各ステップは、ＣＰＵ１０１１Ａが記憶された制御プログラムを実行することで実現される。
リモート複合機１０１１のＣＰＵ１０１１Ａは、複合機１０３からＬＡＮ１０４を介してコピージョブの照会要求を監視している（Ｓ１３０１）。照会要求が有るとＣＰＵ１０１１Ａが判断した場合、ＣＰＵ１０１１Ａは、複合機１０３からログインユーザのユーザ情報を受信する（Ｓ１３０２）。
次に、ＣＰＵ１０１１Ａはログインユーザのコピージョブの有無を判定する（Ｓ１３０３）。ログインユーザのコピージョブが有るとＣＰＵ１０１１Ａが判断した場合、ＣＰＵ１０１１Ａはコピージョブの情報を複合機１０３へ送信し（Ｓ１３０５）、ＣＰＵ１０１１Ａは、再びコピージョブの照会要求を監視する（Ｓ１３０６）。ＣＰＵ１０１１Ａはコピージョブの情報を複合機１０３へ送信し（Ｓ１３０７）、Ｓ１３０１へ戻る。
一方、ログインユーザのコージョブが無いとＣＰＵ１０１１Ａが判定した場合、リモート複合機１０１１のＣＰＵ１０１１Ａはコピージョブが無いことを複合機１０３へ送信し（Ｓ１３０４）、ＣＰＵ１０１１Ａは、再びコピージョブの照会要求を監視する（Ｓ１３０１）。
【００３８】
図１５は、本実施形態を示す画像形成装置の制御方法を説明するフローチャートである。本例は、図１２に示した画像形成装置では、複合機１０３の電源制御例である。なお、各ステップは、ＣＰＵ３０１が記憶された制御プログラムを実行することで実現される。また、図１０に示したステップと同一のステップについては、同一のステップ番号を付している。
複合機１０３の電源がＯＮされ、図８のタイミングＴ８０１とタイミングＴ８０２の間の第１の電力状態Ｐ１にある時、制御部２０４のＣＰＵ３０１は所定の時間ユーザによる操作またはコピージョブを受信しなかったかを判定する（Ｓ１０４１）。コピージョブを受信していないとＣＰＵ３０１が判断した場合は、ＣＰＵ３０１は電源供給部Ｉ／Ｆ３１０を介して電源供給部２０２に指示を出して、電力状態を図５に示した第３の電力状態Ｐ３へ移行させる（Ｓ７０２、Ｔ８０２）。その後、ＣＰＵ３０１は、人感センサ４０４により人物を検知したかを監視し続ける（Ｓ７０３）。
【００３９】
そして、人感センサ４０４が複合機に接近する人物を検知しているとＣＰＵ３０１が判断した場合は、ＣＰＵ３０１は電源供給部２０２に指示を出して、電力状態を第２の電力状態Ｐ２へ移行させる（Ｓ７０４、Ｔ８０３）。続いて、ユーザの操作によりユーザ情報の記録されたカードがかざされたことをカードリーダ部４０７が検知すると、ＣＰＵ４０１はユーザ情報を読み取り認証（ログイン処理）を行う（Ｓ７０５）。
ＣＰＵ３０１はネットワークＩ／Ｆ３０４を制御してＬＡＮ１０４を介してサーバ１０２と通信を行い、認証によってログインしたユーザのコピージョブがリモート複合機１０１１上に有るかの照会要求を送信する（Ｓ１０４２）。
【００４０】
次に、ＣＰＵ３０１はリモート複合機１０１１から受信した回答にコピージョブ情報が有るかを判定し（Ｓ１０４３）、コピージョブ情報が有るとＣＰＵ３０１が判断した場合、ＣＰＵ３０１は電源供給部２０２に指示を出して、電力状態を第１の電力状態Ｐ１へ移行させる（Ｓ７０９、Ｔ８０４）。
同時に、ＣＰＵ３０１は、表示部４０５に図７に示したコピージョブリストを表示させる。この状態は直ちに印刷できる電力状態（電力状態Ｐ１）である。ここでは一例としてコピージョブ情報の有無を第１の電力状態Ｐ１への移行の条件としたが、必ずしもコピージョブ情報に限ったものではない。コピージョブ情報以外としては例えば、ユーザがこれまでリモート複合機１０１１にコピージョブを送信した履歴から統計的に処理した情報でも構わない。
【００４１】
次に、ＣＰＵ３０１はユーザからのコピージョブの印刷要求の受け付けを監視する（Ｓ１０４４）。複合機１０３はユーザによって選択されたコピージョブの印刷要求を受け付けると、ＣＰＵ３０１は、リモート複合機１０１１にコピージョブの送信要求を送信してコピージョブをリモート複合機１０１１から受信する（Ｓ１０４５）。続いて、ＣＰＵ３０１はコピージョブに含まれる画像データをプリンタ部Ｉ／Ｆ３０５を介してプリンタ部２０６に送信し、プリンタ部２０６は印刷を実行する（Ｓ１０４６）。
【００４２】
一方、コピージョブが無いとＣＰＵ３０１が判断した場合、ＣＰＵ３０１は操作部Ｉ／Ｆ３０３、操作部２０３の制御部Ｉ／Ｆ４０３を介して図９の機能選択画面を表示し（Ｓ７１４）、ユーザによる操作及びコピージョブの受信を待つ（Ｓ７０１）。
【００４３】
また、ＣＰＵ３０１が所定の時間ユーザによる認証がなされなかったと判定した場合は（Ｓ７０６）、ＣＰＵ３０１は電源供給部２０２に指示を出して第３の電力状態Ｐ３へ移行させる（Ｓ７０２、Ｔ８０７）。また、ＣＰＵ３０１が所定の時間ユーザからのコピージョブの印刷要求の受け付けがなされなかったと判定した場合は（Ｓ７１１）、ＣＰＵ３０１は電源供給部２０２に指示を出して、電力状態を第３の電力状態Ｐ３へ移行させる（Ｓ７０２、Ｔ８０５）。
【００４４】
以上説明したように、リモート複合機１０１１にコピージョブが有ればユーザによる操作を待たずに起動に時間を要するプリンタ部２０６へ電力を供給するので、ユーザは直ちにコピージョブの印刷を実行することができる。また、サーバが必要ないので容易に構成できる。
【００４５】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４６】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４７】
１０３  ・・・  複合機
１０４  ・・・  ＬＡＮ
【図１】
2019023880.tif 000003
【図２】
2019023880.tif 000004
【図３】
2019023880.tif 000005
【図４】
2019023880.tif 000006
【図５】
2019023880.tif 000007
【図６】
2019023880.tif 000008
【図７】
2019023880.tif 000009
【図８】
2019023880.tif 000010
【図９】
2019023880.tif 000011
【図１０】
2019023880.tif 000012
【図１１】
2019023880.tif 000013
【図１２】
2019023880.tif 000014
【図１３】
2019023880.tif 000015
【図１４】
2019023880.tif 000016
【図１５】
2019023880.tif 000017
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
ユーザから受信した印刷実行指示に従って印刷ジョブを格納するジョブサーバから印刷ジョブを受信して印刷を行う印刷装置であって、
前記印刷装置にログインするための認証情報を受信する認証部と、
前記ジョブサーバから前記印刷ジョブを受信する受信部と、
受信した前記印刷ジョブに基づいて印刷する印刷部と、
ユーザが前記印刷装置にログインしたときに、前記印刷部による印刷を実行せずに、ログインした前記ユーザの印刷ジョブが前記ジョブサーバにあるか否かを問い合わせる問合手段と、
前記問い合わせに対する応答に基づいて、前記印刷部を第１電力状態から前記第１電力状態より消費電力が多い第２電力状態に移行させる電力制御部と、
前記ジョブサーバに格納され、前記印刷装置にログインした前記ユーザの印刷ジョブ、のリストを表示する表示部と、を備え、
前記リストから選択された前記印刷ジョブの印刷実行指示に従って、前記受信部は選択された印刷ジョブを前記ジョブサーバから受信し、前記印刷部は受信した印刷ジョブに基づいて印刷する、ことを特徴とする印刷装置。
【請求項２】
前記認証部は、カードに記憶された認証情報を読み取るカードリーダである、ことを特徴とする請求項１に記載の印刷装置。
【請求項３】
前記電力制御部は、前記応答が前記印刷装置にログインしたユーザの印刷ジョブが前記ジョブサーバに無いことを示す場合、ユーザが前記印刷装置にログインしたときには前記印刷部を前記第１電力状態に維持する、ことを特徴とする請求項１又は２に記載の印刷装置。
【請求項４】
印刷実行指示を入力するための操作部をさらに備え、
前記操作部によって受信された印刷ジョブの印刷実行指示に従って、前記受信部は選択された印刷ジョブを前記ジョブサーバから受信し、前記印刷部は受信した前記印刷ジョブに基づいて印刷する、ことを特徴とする請求項１乃至３の何れか１項に記載の印刷装置。
【請求項５】
前記電力制御部は、ユーザからの操作が無い状態で経過した時間に基づいて、前記印刷部を前記第２電力状態から前記第１電力状態に移行させる、ことを特徴とする請求項１乃至４の何れか１項に記載の印刷装置。
【請求項６】
ユーザから受信した印刷実行指示に従って印刷ジョブを格納するジョブサーバから前記印刷ジョブを受信して印刷を行う印刷装置の制御方法であって、
前記印刷装置にログインするための認証情報を受信する受信工程と、
ログインした前記ユーザの印刷ジョブが前記ジョブサーバにあるか否かを問い合わせる問い合わせ工程と、
前記問い合わせに対する応答に基づいて、印刷部を第１電力状態から前記第１電力状態より消費電力が多い第２電力状態に移行させる電力制御工程と、
前記ジョブサーバに格納され、前記印刷装置にログインした前記ユーザの印刷ジョブ、のリストを表示する表示工程と、
前記リストから選択された前記印刷ジョブの印刷実行指示に従って、選択された印刷ジョブを前記ジョブサーバから受信する受信工程と、
受信した前記印刷ジョブに基づいて印刷する印刷工程と、を有することを特徴とする印刷装置の制御方法。
【請求項７】
ユーザから受信した印刷実行指示に従って印刷ジョブを格納するジョブサーバから前記印刷ジョブを受信して印刷を行う印刷装置であって、
前記印刷装置にログインするための認証情報を受信する認証部と、
前記ジョブサーバから前記印刷ジョブを受信する受信部と、
受信した前記印刷ジョブに基づいて印刷する印刷部と、
ユーザが前記印刷装置にログインしたときに、ログインしたユーザを示すユーザ情報を前記ジョブサーバに送信し、送信した前記ユーザ情報に対する応答を受信する送受信部と、
受信した前記応答に基づいて、前記印刷部を第１電力状態から前記第１電力状態より消費電力が多い第２電力状態に移行させる電力制御部と、
前記ジョブサーバに格納され、前記印刷装置にログインした前記ユーザの印刷ジョブ、のリストを表示する表示部と、を備え、
前記リストから選択された前記印刷ジョブの印刷実行指示に従って、前記受信部は選択された印刷ジョブを前記ジョブサーバから受信し、前記印刷部は受信した印刷ジョブに基づいて印刷する、ことを特徴とする印刷装置。
【請求項８】
前記認証部は、カードに記憶された認証情報を読み取るカードリーダである、ことを特徴とする請求項７に記載の印刷装置。
【請求項９】
前記電力制御部は、前記応答が前記印刷装置にログインしたユーザの印刷ジョブが前記ジョブサーバに無いことを示す場合、ユーザが前記印刷装置にログインしたときには前記印刷部を前記第１電力状態に維持する、ことを特徴とする請求項７又は８に記載の印刷装置。
【請求項１０】
印刷実行指示を入力するための操作部をさらに備え、
前記操作部によって受信された所定の印刷ジョブの印刷実行指示に従って、前記受信部は、前記前記所定の印刷ジョブを前記ジョブサーバから受信し、前記印刷部は、受信した前記所定の印刷ジョブに基づいて印刷する、ことを特徴とする請求項７乃至９の何れか１項に記載の印刷装置。
【請求項１１】
前記電力制御部は、ユーザからの操作が無い状態で経過した時間に基づいて、前記印刷部を前記第２電力状態から前記第１電力状態に移行させる、ことを特徴とする請求項１０に記載の印刷装置。
【請求項１２】
ユーザから受信した印刷実行指示に従って印刷ジョブを格納するジョブサーバから前記印刷ジョブを受信して印刷する印刷装置の制御方法であって、
前記印刷装置にログインするための認証情報を受信する受信工程と、
ログインした前記ユーザを示すユーザ情報を前記ジョブサーバに送信する送信工程と、
送信した前記ユーザ情報に対する応答を前記ジョブサーバから受信する第１の受信工程と、
受信した前記応答に基づいて、印刷部を第１電力状態から前記第１電力状態より消費電力が多い第２電力状態に移行させる電力制御工程と、
前記ジョブサーバに格納され、前記印刷装置にログインした前記ユーザの印刷ジョブ、のリストを表示する表示工程と、
前記リストから選択された前記印刷ジョブの印刷実行指示に従って、選択された印刷ジョブを前記ジョブサーバから受信する第２の受信工程と、
受信した前記印刷ジョブに基づいて印刷する印刷工程と、
を有することを特徴とする印刷装置の制御方法。
【手続補正２】
【補正対象書類名】明細書
【補正対象項目名】０００１
【補正方法】変更
【補正の内容】
【０００１】
本発明は、印刷装置、及び印刷装置の制御方法に関するものである。
【手続補正３】
【補正対象書類名】明細書
【補正対象項目名】０００６
【補正方法】変更
【補正の内容】
【０００６】
上記目的を達成する本発明の画像形成装置は以下に示す構成を備える。
ユーザから受信した印刷実行指示に従って印刷ジョブを格納するジョブサーバから印刷ジョブを受信して印刷を行う印刷装置であって、前記印刷装置にログインするための認証情報を受信する認証部と、前記ジョブサーバから前記印刷ジョブを受信する受信部と、
受信した前記印刷ジョブに基づいて印刷する印刷部と、ユーザが前記印刷装置にログインしたときに、前記印刷部による印刷を実行せずに、ログインした前記ユーザの印刷ジョブが前記ジョブサーバにあるか否かを問い合わせる問合手段と、前記問い合わせに対する応答に基づいて、前記印刷部を第１電力状態から前記第１電力状態より消費電力が多い第２電力状態に移行させる電力制御部と、前記ジョブサーバに格納され、前記印刷装置にログインした前記ユーザの印刷ジョブ、のリストを表示する表示部と、を備え、前記リストから選択された前記印刷ジョブの印刷実行指示に従って、前記受信部は選択された印刷ジョブを前記ジョブサーバから受信し、前記印刷部は受信した印刷ジョブに基づいて印刷する、ことを特徴とする。